(57)【要約】【課題】メディア表面にプリント済みのトンボの位置を光学式センサを用いて確実かつ迅速に読み取ることのできる、追い書き用インクジェットプリンタを提供する。【解決手段】検索手段１００により、メディア５０表面に絵図又は／及び文字プリント用のソフトウェアと同じソフトウェアを用いてプリントされたトンボプリント用のデータ記憶手段８０に記憶されたトンボの位置データを検索して、そのトンボの位置データに基づき、移動手段１１０により、センサヘッドをメディア５０表面のトンボがプリントされた箇所の上方又はその近くまで無駄な時間をかけずに迅速に移動させる。次いで、そのセンサヘッドを、ゆっくりと時間を掛けてプラテン２０上方をＸ−Ｙ方向に相対的に移動させて、そのメディア５０表面にプリントされたトンボの位置を、センサヘッドに装備された光学式センサを用いて見落としなく確実に読み取る。【選択図】図１
2005053088.tif 000002
【特許請求の範囲】
【請求項１】
プラテン上方をプラテン表面とほぼ平行であり、かつ、プラテンのＸ−Ｙ軸に平行なＸ−Ｙ方向に相対的に移動させるセンサヘッドに装備された光学式センサを用いて読み取った、前記プラテン上に搭載されたメディア表面にプリントされたトンボの位置情報に合わせて、前記プラテン上方をプラテンのＸ−Ｙ軸に平行なＸ−Ｙ方向に相対的に移動させるインクジェットヘッドに並ぶノズルから噴射させて、前記プラテン上に搭載されたトンボがプリントされたメディア表面にドット状に着弾させるインク滴により、そのメディア表面に複数のインクのドットの配列からなる絵図又は／及び文字プリントするインクジェットプリンタにおいて、
前記メディア表面にプリント済みの絵図又は／及び文字プリント用のソフトウェアと同じソフトウェアを用いて同じメディア表面にプリント済みのトンボプリント用のデータ記憶手段に記憶されたトンボの位置データを検索する検索手段と、該検索手段により検索されたトンボの位置データに基づき、前記メディア表面にプリント済みの原点位置を示すトンボがプラテンのＸ−Ｙ軸の原点位置上又はその近くに重ね合わせられると共に、前記メディア表面にトンボと共にプリント済みの絵図又は／及び文字のＸ−Ｙ軸がプラテンのＸ−Ｙ軸上又はその近くに重ね合わせられて、プラテン上に搭載されたメディア上方を、前記センサヘッドをＸ−Ｙ方向に相対的に移動させて、そのセンサヘッドをメディア表面のトンボがプリントされた箇所の上方又はその近くまで移動させる移動手段と、該移動手段によりメディア表面のトンボがプリントされた箇所の上方又はその近くまで移動させたセンサヘッドを、該ヘッドに装備された光学式センサがトンボを認識可能な速度で、プラテン上方をＸ−Ｙ方向に相対的に移動させて、そのセンサヘッドに装備された光学式センサを用いて、メディア表面にプリントされたトンボの位置を読み取るトンボ読み取り手段と、該トンボ読み取り手段により読み取ったトンボの位置データから、そのトンボがプリントされたメディア表面にプリント済みの絵図又は／及び文字のプラテンのＸ−Ｙ軸上での原点位置、プラテンのＸ−Ｙ軸に対しての傾き及びプラテンのＸ−Ｙ軸方向の伸縮率を認識する認識手段と、該認識手段により認識したメディア表面にプリント済みの絵図又は／及び文字のプラテンのＸ−Ｙ軸上での原点位置、プラテンのＸ−Ｙ軸に対しての傾き及びプラテンのＸ−Ｙ軸方向の伸縮率に合わせて、前記プラテン上に搭載された絵図又は／及び文字をプリント済みのメディア上方をＸ−Ｙ方向に相対的に移動させるインクジェットヘッドに並ぶノズルから噴射させて、前記プラテン上に搭載されたトンボをプリント済みのメディア表面にドット状に着弾させるインク滴により、そのメディア表面に複数のインクのドットの配列からなる追い書き用の絵図又は／及び文字をプリントするプリント手段とが備えられたことを特徴とする追い書き用インクジェットプリンタ。
【請求項２】
前記センサヘッドが、インクジェットヘッドに一体に備えられて、そのセンサヘッドが、インクジェットヘッドと一体になって、プラテン上方をＸ−Ｙ方向に相対的に移動する構造のものであることを特徴とする請求項１記載の追い書き用インクジェットプリンタ。
【請求項３】
前記センサヘッドが、インクジェットヘッドとは別体に備えられて、そのセンサヘッドが、インクジェットヘッドから独立して、プラテン上方をＸ−Ｙ方向に相対的に移動する構造のものであることを特徴とする請求項１記載の追い書き用インクジェットプリンタ。
【請求項４】
請求項１、２又は３記載のインクジェットプリンタを用いた追い書きプリント方法であって、
前記検索手段により、絵図又は／及び文字をプリント済みのメディア表面に絵図又は／及び文字プリント用のソフトウェアと同じソフトウェアを用いてプリントされたトンボプリント用のデータ記憶手段に記憶されたトンボの位置データを検索する第１ステップと、
該検索手段により検索されたトンボの位置データに基づき、前記移動手段により、前記メディア表面にプリント済みの原点位置を示すトンボがプラテンのＸ−Ｙ軸の原点位置上又はその近くに重ね合わせられると共に、前記メディア表面にトンボと共にプリント済みの絵図又は／及び文字のＸ−Ｙ軸がプラテンのＸ−Ｙ軸上又はその近くに重ね合わせられて、プラテン上に搭載されたメディア上方を、前記センサヘッドをＸ−Ｙ方向に相対的に移動させて、そのセンサヘッドをメディア表面のトンボがプリントされた箇所の上方又はその近くまで移動させる第２ステップと、
前記トンボ読み取り手段により、前記移動手段によりメディア表面のトンボがプリントされた箇所の上方又はその近くまで移動させたセンサヘッドを、該ヘッドに装備された光学式センサがトンボを認識可能な速度で、プラテン上方をＸ−Ｙ方向に相対的に移動させて、そのセンサヘッドに装備された光学式センサを用いて、メディア表面にプリントされたトンボの位置を読み取る第３ステップと、
該トンボ読み取り手段により読み取ったトンボの位置データから、そのメディア表面にプリント済みの絵図又は／及び文字のプラテンのＸ−Ｙ軸上での原点位置、プラテンのＸ−Ｙ軸に対しての傾き及びプラテンのＸ−Ｙ軸方向の伸縮率を、前記認識手段により認識する第４ステップと、
該認識手段により認識したメディア表面にプリント済みの絵図又は／及び文字のプラテンのＸ−Ｙ軸上での原点位置、プラテンのＸ−Ｙ軸に対しての傾き及びプラテンのＸ−Ｙ軸方向の伸縮率に合わせて、前記プリント手段により、絵図又は／及び文字をプリント済みのメディア表面に複数のインクのドットの配列からなる追い書き用の絵図又は／及び文字を、そのプラテン上に搭載されたメディア表面の上方をＸ−Ｙ方向に相対的に移動させるインクジェットヘッドのノズルから噴射させてメディア表面にドット状に着弾させるインク滴によりプリントする第５ステップとを含むことを特徴とする、追い書きプリント方法。
【請求項５】
前記絵図又は／及び文字をプリント済みのメディア表面に追い書き用の絵図又は／及び文字をプリントするのに用いるインクジェットプリンタに、そのメディア表面にトンボをプリントした際に用いたプリンタとは別の、請求項１、２又は３記載のインクジェットプリンタを用いて、前記第１、第２、第３、第４及び第５ステップを行うことを特徴とする、請求項４記載の追い書きプリント方法。
【請求項６】
前記絵図又は／及び文字をプリント済みのメディア表面に追い書き用の絵図又は／及び文字をプリントするのに用いるインクジェットプリンタに、そのメディア表面にトンボをプリントした際に用いたプリンタと同一の、請求項１、２又は３記載のインクジェットプリンタを用いて、前記第１、第２、第３、第４及び第５ステップを行うことを特徴とする、請求項４記載の追い書きプリント方法。
【発明の詳細な説明】
【技術分野】
【０００１】
本発明は、絵図又は／及び文字をプリント済みのシート等のメディア表面に追い書き用の絵図又は／及び文字をプリントするための追い書き用インクジェットプリンタと、該プリンタを用いた追い書きプリント方法とに関する。
【背景技術】
【０００２】
プラテン上方をプラテン表面とほぼ平行であり、かつ、プラテンのＸ−Ｙ軸に平行なＸ−Ｙ方向（縦横方向）に相対的に移動させるインクジェットヘッド下面に並ぶノズルから噴射させて、プラテン上に搭載されたメディア表面にドット状に着弾させるインク滴により、そのメディア表面に複数のインクのドットの配列からなる絵図又は／及び文字プリントするインクジェットプリンタが周知である。
このプリンタを用いて、例えばカレンダー用の絵図又は／及び文字をプリント済みのメディア表面の所定部位に、会社名などを、追加プリントすることは、追い書きと呼ばれている。
この追い書き用の会社名等の絵図又は／及び文字をメディア表面に追加プリントする場合には、その絵図又は文字をプリント済みのメディア表面の四隅等にプリントされたトンボの位置を、プラテン上方をプラテン表面とほぼ平行であり、かつ、プラテンのＸ−Ｙ軸に平行なＸ−Ｙ方向に相対的に移動させるインクジェットヘッド脇部等に備えられたセンサヘッドに装備された光学式センサを用いて読み取っている。ここで、トンボとは、位置決め用や位置合わせ用のしるしであって、Ｌ字状、十字状等をした細線からなっている。そして、その光学式センサを用いて読み取ったトンボの位置データから、そのインクジェットプリンタのプラテン上に搭載された追い書き用のメディア表面にプリント済みのカレンダー用等の絵図又は／及び文字のプラテンのＸ−Ｙ軸上での原点位置、プラテンのＸ−Ｙ軸に対しての傾き及びプラテンのＸ−Ｙ軸方向の伸縮率を認識している。そして、その認識したメディア表面にプリント済みの絵図又は／及び文字のプラテンのＸ−Ｙ軸上での原点位置、プラテンのＸ−Ｙ軸に対しての傾き及びプラテンのＸ−Ｙ軸方向の伸縮率に合わせて、絵図又は／及び文字をプリント済みのメディア表面に複数のインクのドットの配列からなる追い書き用の会社名等の絵図又は／及び文字を、そのプラテン上に搭載されたメディア表面の上方をＸ−Ｙ方向に相対的に移動させるインクジェットヘッドのノズルから噴射させてメディア表面にドット状に着弾させるインク滴によりプリントしている。
【特許文献１】特開２００３−１３６４７５号公報
【発明の開示】
【発明が解決しようとする課題】
【０００３】
しかしながら、上記のようにして、図５に示したような、絵図又は／及び文字５２をプリント済みのメディア５０表面に複数のインクのドットの配列からなる追い書き用の絵図又は／及び文字をインクジェットプリンタによりプリントした際には、そのメディア５０表面の四隅等にプリントされたトンボ５６の位置をセンサヘッドに装備された光学式センサを用いて読み取るのに多大な時間が掛かった。
【０００４】
その理由は、センサヘッドに装備された光学式センサに、プラテン上に搭載されたメディア５０表面の四隅等にプリントされた細線からなるトンボ５６を見落としなく確実に認識させようとすると、そのセンサヘッドをプラテン上方をゆっくりとした遅い速度でＸ−Ｙ方向に相対的に移動させる必要があるからである。そのために、その光学式センサが装備されたセンサヘッドを、メディア５０表面のトンボ５６がプリントされた箇所の上方まで、プラテン上に搭載されたメディア上方をＸ−Ｙ方向に相対的に移動させるのに、多大な時間が掛かってしまうからである。
【０００５】
その結果、その絵図又は／及び文字をプリント済みのメディア表面に追い書き用の絵図又は／及び文字をインクジェットプリンタによりプリントするのに、多大な時間が掛かってしまった。
【０００６】
本発明は、このような課題を解消可能な、メディア表面に絵図又は／及び文字と共にプリント済みのトンボの位置を、センサヘッドに装備された光学式センサを用いて時間を掛けずに見落としなく確実かつ迅速に読み取ることのできる、追い書き用インクジェットプリンタと、該プリンタを用いて、絵図又は／及び文字をプリント済みのメディア表面に追い書き用の絵図又は／及び文字を、時間を掛けずに迅速にプリントできる、追い書きプリント方法とを提供することを、目的としている。
【課題を解決するための手段】
【０００７】
このような目的を達成するために、本発明の追い書き用インクジェットプリンタは、
プラテン上方をプラテン表面とほぼ平行であり、かつ、プラテンのＸ−Ｙ軸に平行なＸ−Ｙ方向に相対的に移動させるセンサヘッドに装備された光学式センサを用いて読み取った、前記プラテン上に搭載されたメディア表面にプリントされたトンボの位置情報に合わせて、前記プラテン上方をプラテンのＸ−Ｙ軸に平行なＸ−Ｙ方向に相対的に移動させるインクジェットヘッドに並ぶノズルから噴射させて、前記プラテン上に搭載されたトンボがプリントされたメディア表面にドット状に着弾させるインク滴により、そのメディア表面に複数のインクのドットの配列からなる絵図又は／及び文字プリントするインクジェットプリンタにおいて、
前記メディア表面にプリント済みの絵図又は／及び文字プリント用のソフトウェアと同じソフトウェアを用いて同じメディア表面にプリント済みのトンボプリント用のデータ記憶手段に記憶されたトンボの位置データを検索する検索手段と、該検索手段により検索されたトンボの位置データに基づき、前記メディア表面にプリント済みの原点位置を示すトンボがプラテンのＸ−Ｙ軸の原点位置上又はその近くに重ね合わせられると共に、前記メディア表面にトンボと共にプリント済みの絵図又は／及び文字のＸ−Ｙ軸がプラテンのＸ−Ｙ軸上又はその近くに重ね合わせられて、プラテン上に搭載されたメディア上方を、前記センサヘッドをＸ−Ｙ方向に相対的に移動させて、そのセンサヘッドをメディア表面のトンボがプリントされた箇所の上方又はその近くまで移動させる移動手段と、該移動手段によりメディア表面のトンボがプリントされた箇所の上方又はその近くまで移動させたセンサヘッドを、該ヘッドに装備された光学式センサがトンボを認識可能な速度で、プラテン上方をＸ−Ｙ方向に相対的に移動させて、そのセンサヘッドに装備された光学式センサを用いて、メディア表面にプリントされたトンボの位置を読み取るトンボ読み取り手段と、該トンボ読み取り手段により読み取ったトンボの位置データから、そのトンボがプリントされた同じメディア表面にプリント済みの絵図又は／及び文字のプラテンのＸ−Ｙ軸上での原点位置、プラテンのＸ−Ｙ軸に対しての傾き及びプラテンのＸ−Ｙ軸方向の伸縮率を認識する認識手段と、該認識手段により認識したメディア表面にプリント済みの絵図又は／及び文字のプラテンのＸ−Ｙ軸上での原点位置、プラテンのＸ−Ｙ軸に対しての傾き及びプラテンのＸ−Ｙ軸方向の伸縮率に合わせて、前記プラテン上に搭載された絵図又は／及び文字をプリント済みのメディア上方をＸ−Ｙ方向に相対的に移動させるインクジェットヘッドに並ぶノズルから噴射させて、前記プラテン上に搭載されたトンボをプリント済みのメディア表面にドット状に着弾させるインク滴により、そのメディア表面に複数のインクのドットの配列からなる追い書き用の絵図又は／及び文字をプリントするプリント手段とが備えられたことを特徴としている。
【０００８】
また、本発明の追い書き用インクジェットプリンタを用いた本発明の追い書きプリント方法は、
本発明のインクジェットプリンタの検索手段により、絵図又は／及び文字をプリント済みのメディア表面に絵図又は／及び文字プリント用のソフトウェアと同じソフトウェアを用いてプリントされたトンボプリント用のデータ記憶手段に記憶されたトンボの位置データを検索する第１ステップと、
該検索手段により検索されたトンボの位置データに基づき、本発明のインクジェットプリンタの移動手段により、前記メディア表面にプリント済みの原点位置を示すトンボがプラテンのＸ−Ｙ軸の原点位置上又はその近くに重ね合わせられると共に、前記メディア表面にトンボと共にプリント済みの絵図又は／及び文字のＸ−Ｙ軸がプラテンのＸ−Ｙ軸上又はその近くに重ね合わせられて、プラテン上に搭載されたメディア上方を、前記センサヘッドをプラテンのＸ−Ｙ軸に平行なＸ−Ｙ方向に相対的に移動させて、そのセンサヘッドをメディア表面のトンボがプリントされた箇所の上方又はその近くまで移動させる第２ステップと、
本発明のインクジェットプリンタのトンボ読み取り手段により、前記移動手段によりメディア表面のトンボがプリントされた箇所の上方又はその近くまで移動させたセンサヘッドを、該ヘッドに装備された光学式センサがトンボを認識可能な速度で、プラテン上方をＸ−Ｙ方向に相対的に移動させて、そのセンサヘッドに装備された光学式センサを用いて、メディア表面にプリントされたトンボの位置を読み取る第３ステップと、
該トンボ読み取り手段により読み取ったトンボの位置データから、そのメディア表面にプリント済みの絵図又は／及び文字のプラテンのＸ−Ｙ軸上での原点位置、プラテンのＸ−Ｙ軸に対しての傾き及びプラテンのＸ−Ｙ軸方向の伸縮率を、本発明のインクジェットプリンタの認識手段により認識する第４ステップと、
該認識手段により認識したメディア表面にプリント済みの絵図又は／及び文字のプラテンのＸ−Ｙ軸上での原点位置、プラテンのＸ−Ｙ軸に対しての傾き及びプラテンのＸ−Ｙ軸方向の伸縮率に合わせて、本発明のインクジェットプリンタのプリント手段により、絵図又は／及び文字をプリント済みのメディア表面に複数のインクのドットの配列からなる追い書き用の絵図又は／及び文字を、そのプラテン上に搭載されたメディア表面の上方をプラテンのＸ−Ｙ軸に平行なＸ−Ｙ方向に相対的に移動させるインクジェットヘッドのノズルから噴射させてメディア表面にドット状に着弾させるインク滴によりプリントする第５ステップとを含むことを特徴としている。
【０００９】
このような構成の追い書き用インクジェットプリンタを用いた追い書きプリント方法においては、
その第１ステップにおいて、本発明のインクジェットプリンタの検索手段により、絵図又は／及び文字をプリント済みのメディア表面に絵図又は／及び文字プリント用のソフトウェアと同じソフトウェアを用いてプリントされたトンボプリント用のデータ記憶手段に記憶されたトンボの位置データを検索できる。
次いで、その第２ステップにおいて、上記検索手段により検索されたトンボの位置データに基づき、本発明のインクジェットプリンタの移動手段により、前記メディア表面にプリント済みの原点位置を示すトンボがプラテンのＸ−Ｙ軸の原点位置上又はその近くに重ね合わせられると共に、前記メディア表面にトンボと共にプリント済みの絵図又は／及び文字のＸ−Ｙ軸がプラテンのＸ−Ｙ軸上又はその近くに重ね合わせられて、プラテン上に搭載されたメディア上方を、前記センサヘッドをプラテンのＸ−Ｙ軸に平行なＸ−Ｙ方向に相対的に移動させて、そのセンサヘッドをメディア表面のトンボがプリントされた箇所の上方又はその近くまで移動させることができる。その際には、本発明のインクジェットプリンタのセンサヘッドに装備された光学式センサにメディア表面にプリントされたトンボを認識させる必要がないために、そのセンサヘッドを、検索手段により検索されたトンボの位置データに基づき、プラテン上に搭載されたメディア表面のトンボがプリントされた箇所の上方又はその近くまで時間を掛けずにプラテン上方をＸ−Ｙ方向に相対的に高速で移動させることができる。
次いで、その第３ステップにおいて、本発明のインクジェットプリンタのトンボ読み取り手段により、前記移動手段によりメディア表面のトンボがプリントされた箇所の上方又はその近くまで移動させたセンサヘッドを、該ヘッドに装備された光学式センサがトンボを確実に認識可能なゆっくりとした速度で、プラテン上方をＸ−Ｙ方向に相対的に移動させて、そのセンサヘッドに装備された光学式センサを用いて、メディア表面にプリントされたトンボの位置を誤りなく確実に読み取ることができる。
次いで、その第４ステップにおいて、上記トンボ読み取り手段により読み取ったメディア表面にプリント済みのトンボの位置データから、そのメディア表面にプリント済みの絵図又は／及び文字のプラテンのＸ−Ｙ軸上での原点位置、プラテンのＸ−Ｙ軸に対しての傾き及びプラテンのＸ−Ｙ軸方向の伸縮率を、本発明のインクジェットプリンタの認識手段により、認識することができる。
その後、その第５ステップにおいて、上記認識手段により認識したメディア表面にプリント済みの絵図又は／及び文字のプラテンのＸ−Ｙ軸上での原点位置、プラテンのＸ−Ｙ軸に対しての傾き及びプラテンのＸ−Ｙ軸方向の伸縮率に合わせて、本発明のインクジェットプリンタのプリント手段により、絵図又は／及び文字をプリント済みのメディア表面に複数のインクのドットの配列からなる追い書き用の絵図又は／及び文字を、そのプラテン上に搭載されたメディア表面の上方をプラテンのＸ−Ｙ軸に平行なＸ−Ｙ方向に相対的に移動させるインクジェットヘッドのノズルから噴射させてメディア表面にドット状に着弾させるインク滴によりプリントできる。
【００１０】
本発明のインクジェットプリンタにおいては、前記センサヘッドが、インクジェットヘッドに一体に備えられて、そのセンサヘッドが、インクジェットヘッドと一体になって、プラテン上方をＸ−Ｙ方向に相対的に移動する構造のものであることを、好適としている。
その場合には、そのインクジェットヘッドに一体に備えられたセンサヘッドを、プラテン上方をＸ−Ｙ方向に相対的に移動させるインクジェットヘッドの移動手段を用いて、プラテン上方をＸ−Ｙ方向に相対的に移動させることができる。そして、センサヘッドをプラテン上方をＸ−Ｙ方向に相対的に移動させる移動手段を、別途設ける必要を無くすことができる。
【００１１】
本発明のインクジェットプリンタにおいては、前記センサヘッドが、インクジェットヘッドとは別体に備えられて、そのセンサヘッドが、インクジェットヘッドから独立して、プラテン上方をＸ−Ｙ方向に相対的に移動する構造のものであっても、良い。
その場合には、センサヘッドを、インクジェットヘッドの動きに拘束されずに、プラテン上方をＸ−Ｙ方向に自由に相対的に移動させることができる。
【００１２】
本発明の追い書きプリント方法においては、前記トンボをプリント済みのメディア表面に追い書き用の絵図又は／及び文字をプリントするのに用いるインクジェットプリンタに、そのメディア表面にトンボをプリントした際に用いたプリンタとは別の、本発明の追い書きインクジェットプリンタを用いて、本発明の追い書プリント方法の前記第１、第２、第３、第４及び第５ステップを行うことが、可能である。
また、本発明の追い書きプリント方法においては、前記トンボをプリント済みのメディア表面に追い書き用の絵図又は／及び文字をプリントするのに用いるインクジェットプリンタに、そのメディア表面にトンボをプリントした際に用いたプリンタと同一の、本発明の追い書きインクジェットプリンタを用いて、本発明の追い書プリント方法の前記第１、第２、第３、第４及び第５ステップを行うことも、可能である。
【００１３】
これらのいずれの追い書きプリント方法においても、本発明の追い書き用インクジェットプリンタを用いて、本発明の追い書きプリント方法の第１、第２、第３、第４及び第５ステップを行うことにより、前述のようにして、そのメディア表面にプリント済みのトンボの位置を時間を掛けずに迅速に読み取ることができる。
【発明の効果】
【００１４】
以上説明したように、本発明の追い書き用インクジェットプリンタを用いた、本発明の追い書きプリント方法によれば、追い書き用の絵図又は／及び文字をプリントするインクジェットプリンタのセンサヘッドを、追い書き用の絵図又は／及び文字をプリントするメディア表面のトンボがプリントされた箇所の上方又はその近くまで、プラテン上方を無駄な時間をかけずにＸ−Ｙ方向に相対的に迅速に移動させることができる。次いで、そのセンサヘッドを、ゆっくりと時間を掛けてプラテン上方をＸ−Ｙ方向に相対的に移動させて、そのメディア表面にプリントされたトンボの位置を、センサヘッドに装備された光学式センサを用いて見落としなく確実に読み取ることができる。その結果、その追い書き用の絵図又は／及び文字をプリントするメディア表面にプリントされたトンボの位置の読み取りに要する時間を大幅に短縮可能となる。
【発明を実施するための最良の形態】
【００１５】
図１ないし図３は本発明の追い書き用インクジェットプリンタの好適な実施の形態を示し、図１はその概略構造説明図、図２はそのプラテン周辺の一部拡大斜視図、図３はそのセンサヘッド周辺の拡大構造説明図である。以下に、このインクジェットプリンタを説明する。
【００１６】
図１と図２には、インクジェットヘッド３０をプラテン２０上方をプラテン２０表面とほぼ平行であり、かつ、プラテン２０のＸ−Ｙ軸に平行なＸ−Ｙ方向に相対的に移動させるインクジェットヘッド３０下面に並ぶノズル３２から噴射させて、プラテン２０上に搭載されたメディア５０表面にドット状に着弾させるインク滴により、メディア５０表面に複数のインクのドットの配列からなる絵図又は／及び文字をプリントする、インクジェットプリンタが示されている。
【００１７】
このインクジェットプリンタは、プラテン２０上方をプラテン２０表面とほぼ平行であり、かつ、プラテン２０のＸ−Ｙ軸に平行なＸ−Ｙ方向に相対的に移動させるセンサヘッド６０を持っていて、そのセンサヘッド６０には、図３に示したように、ＬＥＤ等の発光素子６２とフォトダイオード等の受光素子６４との組み合わせからなる光学式センサ６６が装備されている。そして、その発光素子６２から発せられた光を、プラテン２０上に搭載されたメディア５０表面で反射させて、受光素子６４に受けられるようにしている。そして、その受光素子６４が受けた光量の変化をホストコンピュータの電子回路等からなる解析手段（図示せず）により解析して、プラテン２０上に搭載された図５に示したようなメディア５０表面に絵図又は／及び文字５２と共にプリントされた細線からなるＬ字状、十字状等をしたトンボ５６の位置を読み取れるようにしている。
【００１８】
以上の構成は、従来のプリンタと同様であるが、図１と図２に示したインクジェットプリンタには、追い書き用のメディア５０表面にプリント済みの絵図又は／及び文字プリント用のデザイン作成やイラスト作成用、ＣＡＤ図面作成用等のソフトウェアと同じソフトウェアを用いて同じメディア５０表面にプリントされたトンボプリント用の電子回路等の記憶媒体からなるデータ記憶手段８０に記憶されたトンボ５６の位置データを検索する検索手段１００が備えられている。検索手段１００は、インクジェットプリンタ駆動用のホストコンピュータの電子回路（図示せず）等から形成されている。
【００１９】
また、その検索手段１００により検索されたトンボ５６の位置データに基づき、前記メディア５０表面にプリント済みの原点位置を示すトンボ５６がプラテン２０のＸ−Ｙ軸の原点位置上又はその近くに重ね合わせられると共に、前記メディア５０表面にトンボ５６と共にプリント済みの絵図又は／及び文字５２のＸ−Ｙ軸がプラテン２０のＸ−Ｙ軸上又はその近くに重ね合わせられて、プラテン２０上に搭載されたメディア５０上方を、前記センサヘッド６０をプラテン２０のＸ−Ｙ軸に平行なＸ−Ｙ方向に相対的に移動させて、そのセンサヘッド６０をメディア５０表面のトンボ５６がプリントされた箇所の上方又はその近くまで移動させる移動手段１１０が備えられている。移動手段１１０は、センサヘッド６０駆動用の電動モータ（図示せず）、プラテン２０上をメディア５０をＸ方向に移動させる送りローラ９２、押えローラ９４及び電動モータ９６等の組み合わせからなるメディア移送手段９０、並びにそれらを駆動制御するホストコンピュータの電子回路（図示せず）等から形成されている。
【００２０】
また、その移動手段１１０によりメディア５０表面のトンボ５６がプリントされた箇所の上方又はその近くまで移動させたセンサヘッド６０を、該ヘッドに装備された光学式センサ６６がトンボ５６を認識可能な速度で、プラテン２０上方をプラテン２０のＸ−Ｙ軸に平行なＸ−Ｙ方向に相対的に移動させて、そのセンサヘッド６０に装備された光学式センサ６６を用いて、メディア５０表面にプリントされたトンボ５６の位置を読み取るトンボ読み取り手段１２０が備えられている。トンボ読み取り手段１２０は、センサヘッド６０駆動用の電動モータ、プラテン２０上をメディア５０をＸ方向に移動させるメディア移送手段９０、それらを駆動制御するホストコンピュータの電子回路（図示せず）、並びにセンサヘッド６０に装備された前述の光学式センサ６６、該センサの受光素子６４に受けた光量の変化を解析して、メディア５０表面にプリントされたトンボ５６の位置を読み取るホストコンピュータの電子回路（図示せず）等から形成されている。
【００２１】
また、そのトンボ読み取り手段１２０により読み取ったトンボ５６の位置データから、メディア５０表面にプリント済みの絵図又は／及び文字５２のプラテン２０のＸ−Ｙ軸上での原点位置、プラテン２０のＸ−Ｙ軸に対しての傾き及びプラテン２０のＸ−Ｙ軸方向の伸縮率を認識する認識手段１３０が備えられている。認識手段１３０は、インクジェットプリンタ駆動用のホストコンピュータの電子回路（図示せず）等から形成されている。
【００２２】
また、その認識手段１３０により認識したメディア５０表面にプリント済みの絵図又は／及び文字５２のプラテン２０のＸ−Ｙ軸上での原点位置、プラテン２０のＸ−Ｙ軸に対しての傾き及びプラテン２０のＸ−Ｙ軸方向の伸縮率に合わせて、そのプラテン２０上に搭載された絵図又は／及び文字５２をプリント済みのメディア５０上方をプラテン２０のＸ−Ｙ軸に平行なＸ−Ｙ方向に相対的に移動させるインクジェットヘッド３０に並ぶノズル３２から噴射させて、そのプラテン２０上に搭載されたトンボ５６をプリント済みのメディア５０表面にドット状に着弾させるインク滴により、そのメディア５０表面に複数のインクのドットの配列からなる追い書き用の絵図又は／及び文字をプリントするプリント手段１４０が備えられている。プリント手段１４０は、インクジェットヘッド３０駆動用の電動モータ（図示せず）、プラテン２０上をメディア５０をＸ方向に移動させる送りローラ９２、押えローラ９４及び電動モータ９６等の組み合わせからなるメディア移送手段９０、インクジェットヘッド３０下面に並ぶ所定のノズル３２からインク滴を所定のタイミングで噴射させる噴射手段（図示せず）、並びにそれらを駆動制御するホストコンピュータの電子回路（図示せず）等から形成されている。
【００２３】
図１ないし図３に示した追い書き用インクジェットプリンタは、以上のように構成されている。
次に、この図１ないし図３に示したインクジェットプリンタを用いた、本発明の追い書きプリント方法の好適な実施の形態を説明する。
【００２４】
この追い書き用の絵図又は／及び文字のプリント方法においては、
その第１ステップにおいて、インクジェットプリンタに備えられた検索手段１００により、絵図又は／及び文字５２をプリント済みのメディア５０表面に絵図又は／及び文字プリント用のソフトウェアと同じソフトウェアを用いてプリントされたトンボプリント用のデータ記憶手段８０に記憶されたトンボ５６の位置データを検索している。
【００２５】
次いで、その第２ステップにおいて、上記検索手段１００により検索されたトンボ５６の位置データに基づき、本発明のインクジェットプリンタの移動手段１１０により、前記メディア５０表面にプリント済みの原点位置を示すトンボ５６がプラテン２０のＸ−Ｙ軸の原点位置上又はその近くに重ね合わせられると共に、前記メディア５０表面にトンボ５６と共にプリント済みの絵図又は／及び文字５２のＸ−Ｙ軸がプラテン２０のＸ−Ｙ軸上又はその近くに重ね合わせられて、プラテン２０上に搭載されたメディア５０上方を、前記センサヘッド６０をプラテン２０のＸ−Ｙ軸に平行なＸ−Ｙ方向に相対的に移動させて、そのセンサヘッド６０をメディア５０表面のトンボ５６がプリントされた箇所の上方又はその近くまで移動させている。その際には、センサヘッド６０に装備された光学式センサ６６にメディア５０表面にプリントされたトンボ５６を認識させる必要がないために、センサヘッド６０を、検索手段１００により検索されたトンボ５６の位置データに基づき、プラテン２０上に搭載されたメディア５０表面のトンボ５６がプリントされた箇所の上方又はその近くまで時間を掛けずにプラテン２０上方をＸ−Ｙ方向に相対的に高速で移動させている。
【００２６】
次いで、その第３ステップにおいて、インクジェットプリンタに備えられたトンボ読み取り手段１２０により、前記移動手段１１０によりメディア５０表面のトンボ５６がプリントされた箇所の上方又はその近くまで移動させたセンサヘッド６０を、該ヘッドに装備された光学式センサ６６がトンボ５６を確実に認識可能なゆっくりとした速度で、プラテン２０上方をプラテン２０のＸ−Ｙ軸に平行なＸ−Ｙ方向に相対的に移動させて、そのセンサヘッド６０に装備された光学式センサ６６を用いて、メディア５０表面にプリントされたトンボ５６の位置を誤まりなく確実に読み取っている。そして、そのセンサヘッド６０に装備された光学式センサ６６に、メディア５０表面にプリントされたトンボ５６を見落としなく確実に認識させている。そして、その光学式センサ６６の認識結果に基づき、トンボ読み取り手段１２０を構成しているホストコンピュータの電子回路等により、図５に示したような、メディア５０表面の四隅等にプリントされたトンボ５６の位置を、常に見落としなく確実に解析して、読み取っている。
【００２７】
次いで、その第４ステップにおいて、インクジェットプリンタに備えられたトンボ読み取り手段１２０により読み取ったメディア５０表面にプリントされたトンボ５６の位置データから、メディア５０表面にプリント済みの絵図又は／及び文字５２のプラテン２０のＸ−Ｙ軸上での原点位置、プラテン２０のＸ−Ｙ軸に対しての傾き及びプラテン２０のＸ−Ｙ軸方向の伸縮率を、インクジェットプリンタに備えられた認識手段１３０により認識している。
【００２８】
その後、その第５ステップにおいて、上記認識手段１３０により認識したメディア５０表面にプリント済みの絵図又は／及び文字５２のプラテン２０のＸ−Ｙ軸上での原点位置、プラテン２０のＸ−Ｙ軸に対しての傾き及びプラテン２０のＸ−Ｙ軸方向の伸縮率に合わせて、インクジェットプリンタに備えられたプリント手段１４０により、絵図又は／及び文字５２をプリント済みのメディア５０表面に複数のインクのドットの配列からなる追い書き用の絵図又は／及び文字を、そのプラテン２０上に搭載されたメディア５０表面の上方をプラテン２０のＸ−Ｙ軸に平行なＸ−Ｙ方向に相対的に移動させるインクジェットヘッド３０のノズル３２から噴射させてメディア５０表面にドット状に着弾させるインク滴によりプリントしている。
【００２９】
図１ないし図３に示したインクジェットプリンタを用いた本発明の追い書プリント方法は、以上の第１、第２、第３、第４及び第５ステップを含んでいて、このような構成のインクジェットプリンタを用いた追い書きプリント方法においては、前述のように、絵図又は／及び文字５２をプリント済みのメディア５０表面に絵図又は／及び文字プリント用のソフトウェアと同じソフトウェアを用いてプリントされたトンボプリント用のデータ記憶手段８０に記憶されたトンボの位置データを有効利用して、センサヘッド６０に装備された光学式センサ６６により、メディア５０表面にプリントされたトンボ５６の位置を時間を掛けずに誤りなく確実に迅速に読み取ることができる。
【００３０】
図１ないし図３に示したインクジェットプリンタにおいては、図２に示したように、センサヘッド６０が、インクジェットヘッド３０の脇部等に一体に備えられて、そのセンサヘッド６０が、インクジェットヘッド３０と一体になって、プラテン２０上方をＸ−Ｙ方向に相対的に移動する構造のものとすると、良い。
そして、センサヘッド６０の移動手段を、インクジェットヘッド３０の移動手段と兼用可能な構造とすると良い。そして、センサヘッド６０をプラテン２０上方をＸ−Ｙ方向に相対的に移動させる移動手段を、別途設ける必要を無くすと良い。
【００３１】
図１ないし図３に示したインクジェットプリンタにおいては、図４に示したように、センサヘッド６０が、インクジェットヘッド３０とは別体に備えられて、そのセンサヘッド６０が、インクジェットヘッド３０から独立して、プラテン２０上方をＸ−Ｙ方向に相対的に移動する構造のものであっても、良い。
そして、センサヘッド６０を、インクジェットヘッド３０の動きに拘束されずに、プラテン２０上方をＸ−Ｙ方向に自由に相対的に移動させることができるようにしても良い。
その場合には、センサヘッド６０をプラテン２０上方をＸ−Ｙ方向に相対的に移動させる移動手段を、インクジェットヘッド３０の移動手段とは別に、新たに設ける必要がある。
【００３２】
本発明の追い書きプリント方法においては、絵図又は／及び文字５２をプリント済みのメディア５０表面に追い書き用の絵図又は／及び文字をプリントするのに用いるインクジェットプリンタに、そのメディア５０表面にトンボ５６をプリントした際に用いたプリンタとは異なる、別の追い書き用インクジェットプリンタを用いることが可能である。
また、本発明の追い書きプリント方法においては、絵図又は／及び文字５２をプリント済みのメディア５０表面に追い書き用の絵図又は／及び文字をプリントするのに用いるインクジェットプリンタに、そのメディア５０表面にトンボ５６をプリントした際に用いたプリンタと同じ、追い書き用インクジェットプリンタを用いることも可能である。
そのいずれの場合にも、前述のように、そのプラテン２０上に搭載された追い書き用の絵図又は／及び文字をプリントするメディア５０表面にプリント済みのトンボ５６の位置を時間を掛けずに誤まりなく確実に迅速に読み取ることが可能である。
【産業上の利用可能性】
【００３３】
本発明の追い書き用インクジェットプリンタと、該プリンタを用いた追い書きプリント方法とは、前述のカレンダー用紙に会社名を追加プリントする場合の外に、透明シートに白地模様をプリントして、その白地模様上に追い書き用の絵図又は／文字をプリントする、電子機器のパネル表面を覆うシート等の製造にも、有効利用可能である。
【図面の簡単な説明】
【００３４】
【図１】本発明の追い書き用インクジェットプリンタの概略構造説明図である。
【図２】本発明の追い書き用インクジェットプリンタの一部拡大斜視図である。
【図３】本発明の追い書き用インクジェットプリンタのセンサヘッド周辺の拡大正面図である。
【図４】本発明の追い書き用インクジェットプリンタの一部拡大斜視図である。
【図５】絵図又は／及び文字とトンボとを共にプリント済みの追い書き用のメディアの平面図である。
【符号の説明】
【００３５】
２０  プラテン
３０  インクジェットヘッド
３２  インクジェット下面に並ぶノズル
５０  メディア
５２  絵図又は／及び文字
５６  トンボ
６０  センサヘッド
６６  光学式センサ
８０  データ記憶手段
９０  メディア移送手段
１００  検索手段
１１０  移動手段
１２０  読み取り手段
１３０  認識手段
１４０  プリント手段
【図１】
2005053088.tif 000003
【図２】
2005053088.tif 000004
【図３】
2005053088.tif 000005
【図４】
2005053088.tif 000006
【図５】
2005053088.tif 000007